(57)【特許請求の範囲】
【請求項１】
ハンドル本体に打球の弾発力の強さを調整する操作レバーが回転自在なるように装着され、打球の発射用電気的駆動源を駆動させるため遊技者が手で接触してタッチスイッチをＯＮする通電部が設けられた打球発射ハンドルであって、
前記ハンドル本体を非導電性とし、前記操作レバーは上下に二分割され外部に露出する上部の非導電性レバー部と通電部としての下部の導電性レバー部とからなり、前記導電性レバー部の端部は前記非導電性レバー部の一端部に設けられた指掛部の近傍にまで達していることを特徴とするパチンコ遊技機における打球発射ハンドル。
【請求項２】
前記非導電性レバー部にビス挿通孔を有する取付片が設けられ、前記導電性レバー部に前記取付片に対応位置させてビス孔が設けられ、前記ビス挿通孔を介してビス孔にビスを螺締することにより、上部の非導電性レバー部に対して下部の導電性レバー部が交換可能とされることを特徴とする請求項１記載のパチンコ遊技機における打球発射ハンドル。
【発明の詳細な説明】
【０００１】
【発明の属する技術分野】
本発明はパチンコ遊技機の前面に設けられ、所謂単発打ちが容易にできるようにしたパチンコ遊技機における打球発射ハンドルに関するものである。
【０００２】
【従来の技術】
周知のように、パチンコ遊技機の打球発射ハンドルは、ハンドル本体に打球の弾発力の強さを調整する回動自在な操作レバーが装着されている。この操作レバーは、常にコイルばねによって初期位置側に付勢されており、外周面には指を掛ける指掛部が設けられている。また、打球を発射させるための発射用電気的駆動源の電源をＯＮ・ＯＦＦするように、ハンドル本体内にマイクロスイッチが設けられる。このマイクロスイッチは、コイルばねの付勢に抗して前記操作レバーを回動させることにより自動的にＯＮされるようになっているが、遊技者が自分の意志で打球の発射のタイミングを決められる所謂単発打ちができるように前記状態でＯＦＦできるようにもなっている。このため、ハンドル本体であって通常の発射動作の邪魔にならぬように操作レバーの指掛部に対し少し離れる位置に指先で前記マイクロスイッチをＯＦＦできる押しボタン式のスイッチレバーが設けられる。
【０００３】
また、前記操作レバーは、通常、合成樹脂材により成形されると共に表面に金属メッキが施されて導電性を有する。この操作レバーは通電部とされ、打球の発射用電気的駆動源を駆動させるためのタッチスイッチに接続される。これは、遊技者が例えばコインやパチンコ球を操作レバーとハンドル本体との間に介在させて操作レバーを所望の回動位置で固定し、手で打球発射ハンドルを握ることなく遊技を行なうのを防止するためであり、前記マイクロスイッチとタッチスイッチが前記打球の発射用電気的駆動源に直列に接続されている。よって、遊技者が操作レバーに手で触りしかも該操作レバーを回動しない限り、発射用電気的駆動源が駆動して打球が打ち出されないようになっている。
【０００４】
遊技者は、打球発射ハンドルを握ると共に操作レバーの指掛部に指を掛ける。これにより、まずタッチスイッチがＯＮする。更に、操作レバーをコイルばねの付勢に抗して回動させることにより、マイクロスイッチがＯＮし発射用電気的駆動源が駆動して打球が発射される。そして、所望の回転角度まで回転したところで、その位置を手で固定して遊技を続ける。その途中で単発打ちがしたいときは、前記手の位置がずれないように注意を払いつつ前記押しボタン式のスイッチレバーに指を伸ばしその指先で押すようにしている。
【０００５】
【発明が解決しようとする課題】
このような打球発射ハンドルにあって、前記のように遊技者が遊技中に単発打ちをしようとする場合、スイッチレバーがハンドル本体側にある関係上、手で操作レバーを回動すると指がスイッチレバーから遠ざかることとなり、所望の回動位置にある操作レバーを指で保持固定したままスイッチレバーを押すことは簡単ではなく、ともすると不注意により保持力が弱まり常に付勢されている操作レバーの回動位置が狂って思い通りに打球が発射できず、再度調整し直さねばならないという煩わしさがあった。そこで、コインを操作レバーとハンドル本体との間に介在し操作レバーを所望の回動位置で無理に固定させ、手を操作レバーに軽く接触しているだけで、操作レバーが無用に回動しないようにしている遊技者がいる。しかし、このような手段が採られると、操作レバーががたついてしまうなど打球発射ハンドルが破損してしまうこともあった。
【０００６】
そこで、本発明は上記した課題に鑑みてなされたもので、単発打ちが容易にできるようにして遊技者の煩わしさを解消すると共に破損するようなことがないパチンコ遊技機における打球発射ハンドルを提供することを目的とするものである。
【０００７】
【課題を解決するための手段】
その目的を達成するために、本発明に係るパチンコ遊技機における打球発射ハンドルは、ハンドル本体に打球の弾発力の強さを調整する操作レバーが回転自在なるように装着され、打球の発射用電気的駆動源を駆動させるため遊技者が手で接触してタッチスイッチをＯＮする通電部が設けられた打球発射ハンドルであって、前記ハンドル本体を非導電性とし、前記操作レバーは上下に二分割され外部に露出する上部の非導電性レバー部と通電部としての下部の導電性レバー部とからなり、前記導電性レバー部の端部は前記非導電性レバー部の一端部に設けられた指掛部の近傍にまで達している構成からなる。
【０００８】
このように、操作レバーの表面であって握った指が簡単に接離できる部位に通電部を設けたので、操作レバーを回動しても通電部が遠ざかることはなく、指が簡単に移動でき単発打ちが容易に行なえることとなる。よって、誤って操作レバーの固定位置を狂わせてしまうことがなく、遊技者は煩わしさもなく快適に遊技に熱中することができる。また、破損も少なくパチンコホールにとって余分な損失が押えられる。
【０００９】
また、前記操作レバーを分割して非導電性レバー部と交換可能な通電部としての導電性レバー部とを設け、操作レバーにおける握った指が簡単に接離できる部位に前記通電部を設けるようにすれば、メッキ部分が少なくて済み安価に製作できるばかりか、メッキ不良などで交換する場合も少ない部材で済み経済的である。
【００１０】
前記通電部は、操作レバーであってその周面に突設された指掛部の近傍に設けられていることが好ましい。
【００１１】
【発明の実施の形態】
次に、本発明に係るパチンコ遊技機における打球発射ハンドルの実施の形態を図面を参照して説明する。図１は本発明が適用されるパチンコ遊技機の正面図、図２は同ガラス板保持枠と打球供給皿を有する前面板及び余剰球受皿を有する前面下部板を開いた状態の斜視図である。パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５が開閉自在に軸支されている。７は前面に打球供給皿６が設けられた前面板で、該前面板７はその一側に設けられたヒンジ機構７ｂにより前面枠体４に開閉自在に軸支され、その上縁部が前記ガラス板保持枠５の下縁部の内側に重合することから該ガラス板保持枠５を開いた後に該前面板を開き得るように構成されている。また、９は鉄板等の金属板によって形成された前面下部板で、該前面下部板９の前面にプラスチック製の装飾カバー体８が設けられ、該前面下部板９はヒンジ機構９ｂによって開閉自在に軸支され、その上縁部が前記前面板７の下縁部の内側に重合することから該前面板７を開いた後に該前面下部板９を開き得るように構成されている。
【００１２】
前面枠体４は、鉄板等の金属板によって形成され、上部にほぼ正方形状の開口部が形成され、その下部が板状部１０として形成されている。そして、開口部を覆うようにしてその裏側に遊技盤１１が着脱可能に取り付けられるようになっている。なお、前記開口部は、その下部一側が遊技盤１１の遊技領域を形成する円形状の誘導レール１２の外周面に沿うように円弧状に張り出し形成されており、その円弧状形成面１３に打球供給皿６の球導入部１４に連通する球出口１５が開設されている。さらに、開口部下方の板状部１０には打球発射装置１６および打球供給皿６の余剰球を前記装飾カバー体８内側の余剰球受皿１７に誘導したり、打球発射装置１６から発射された打球がファールになったとき、そのファール球を余剰球受皿１７に誘導したりするための通路構成体１８が取着されている。そして、該前面枠体４はヒンジ機構３を支点にして外枠２に開閉自在に装着される。
【００１３】
また、該前面枠体４にはパチンコ遊技機１の主要な遊技構成部品が集約して設けられる。即ち、前面枠体４の上部前面に、遊技盤１１の遊技領域外を覆うように合成樹脂により形成された装飾用のレール飾り部材１９と、同じように打球の衝突による誘導レール１２の変形を防止するため合成樹脂により形成されたレール変形防止部材２０が設けられ、遊技盤１１の遊技領域外には、パチンコ遊技機１が検査に合格したことを示す証紙を貼り付ける証紙貼付部材２１が設けられる。２２は前記前面枠体４の一側に設けられ外枠２に対し前面枠体４をまた前面枠体４に対しガラス板保持枠５をそれぞれロックまたは開成させる施錠機構である。
【００１４】
ガラス板保持枠５は、前面枠体４の上半部分を全幅にわたって覆う大きさに形成され、その中央部に遊技盤１１の遊技領域が視認可能な方形状の開口が形成される合成樹脂製の本体枠５ａと、該本体枠５ａの裏面側に装着される補強金属板５ｂとから構成されている。前記補強金属板５ｂには、本体枠５ａの開口の上辺部を除く左右側辺部及び下側辺部を囲うようにコ字形に形成された溝枠部材５ｃが一体的に設けられており、該溝枠部材５ｃに遊技盤１１を透視し得る内外２枚のガラス板２３が上方より挿入嵌合されて保持されている。
【００１５】
打球供給皿６に貯留されるパチンコ球は一列に整列されながら前面板７に開設された球出口７ａから裏面に導かれて前記した打球発射装置１６に連続状態で送り込まれるようになっている。また、打球供給皿６前面の左側部分は前面が開放されたドーム状の空間部２４が形成されるような膨出部２５とされており、その空間部２４に灰皿２６が前方に回転自在に軸支されている。
【００１６】
図３に示すように装飾カバー体８内側の余剰球受皿１７には、打球供給皿６の余剰球を余剰球受皿１７に導く下皿口２７とスピーカー２８の前面を覆う円形状のパンチングメタル２９が臨ませてある。なお、余剰球受皿１７の底部には円形の球抜き孔３０が形成され、該球抜き孔３０は装飾カバー体８の前面に出没自在に設けられた球抜ボタン３１を押し操作することにより、シャッター板が移動し該球抜き孔３０が開かれることによって該余剰球受皿１７中のパチンコ球を排出させて該パチンコ球を球ケース等に移せられるようにしている。
【００１７】
また、図４に示すように装飾カバー体８の余剰球受皿１７の右隣には打球発射ハンドル３２を固着するための切欠３３が形成されている。なお該切欠３３には、雲形の取付部３４が隆設されると共にバカ孔３５が形成され、位置決用ボス３６が突設されているほか、長方形状の窓孔３７が形成され前記打球発射装置１６に信号線を配線した一方のコネクタ３８の棒状端子３９が該窓孔３７中に突設されている。また、４０は前記棒状端子３９と平行なるように余剰球受皿１７の外側面に相当する部分に突設された取付ガイドレールである。
【００１８】
打球発射ハンドル３２は、図５に示すように後部材４１ａと前部材４１ｂとをビス４３により固着して構成されるハンドル本体４２からなり、このハンドル本体４２は合成樹脂材により成形され非導電性である。また、ハンドル本体４２の上面が滑らかなＵ字状に凹窪する連続部３２ａから円筒部３２ｂにわたり表面が連続曲面として連なる形態に形成される。さらに、該打球発射ハンドル３２は装飾カバー体８とも連続曲面として連なる形態に形成されている。
【００１９】
そして、ハンドル本体４２内には、マイクロスイッチ４４が設けられると共に、円筒部３２ｂの中心に回転角度検出器たるロータリーエンコーダ４５が設けられる。４６は該ロータリーエンコーダ４５をビス４７によって前部材４１ｂの内面に固着するために設けられた取付板である。また、４８はロータリーエンコーダ４５の回転軸４９に取着することにより鉛直面内で回転自在なるように設けられた円盤状の操作レバーである。該操作レバー４８は上部の非導電性レバー部４８ａと下部の導電性レバー部４８ｂとに二分割され、前記非導電性レバー部４８ａにビス挿通孔５０を有する一対の取付片５０ａ，５０ａが一体に設けられ、導電性レバー部４８ｂに前記各取付片５０ａに対応させてビス孔５１が設けられている。そして、両ビス挿通孔５０とビス孔５１を合致させ、両ビス挿通孔５０を介して各ビス孔５１にビス５２を螺締することにより非導電性レバー部４８ａと導電性レバー部４８ｂとがいずれも交換可能に設けられる。
【００２０】
前記非導電性レバー部４８ａの外周面には三個の指掛部５３が突設され、これら指掛部５３がハンドル本体４２の両部材４１ａ，４１ｂ間に形成されたスリット溝５４から突出される。前記導電性レバー部４８ｂは通電部とされ、その一端縁は前記非導電性レバー部４８ａの一端の指掛部５３ａの近傍にまで達している。その指掛部５３ａには通常親指が掛けられ、操作レバー４８を手で握ったとき、導電性レバー部４８ｂには親指を簡単に接離できるようになっている。なお、５５は操作レバー４８を反時計方向に付勢するコイルばねである。
【００２１】
また、５６は前記マイクロスイッチ４４の触片４４ａを操作するため、後部材４１ａにビス５７によって回転自在に設けられるリンクであり、図６、図７に示すようにその一端部５８が触片４４ａに相対し、他端部５９に操作レバー４８の側面に突設される作用片６０と係合し得る受片６１が突設されている。そして、操作レバー４８がコイルばね５５の付勢により初期位置に位置しているときは、作用片６０が受片６１に係合し、リンク５６の一端部５８が触片４４ａを押してマイクロスイッチ４４がＯＦＦ状態にあり、操作レバー４８をコイルばね５５の付勢に抗して回動させることにより作用片６０と受片６１との係合が外れて一端部５８が回動し触片４４ａが開放されてマイクロスイッチ４４がＯＮするようになっている。
【００２２】
また、６２はロータリーエンコーダ４５およびマイクロスイッチ４４に信号線を配線したコネクタで、該コネクタ６２は前記コネクタ３８と対となるようにハンドル本体４２の後部材４１ａに設けられる。そして、後部材４１ａの前記余剰球受皿１７の外側面と相対する部分に前記取付ガイドレール４０が嵌合するガイド溝６３が成形される。なお、６４は前記位置決用ボス３６を嵌合させるため後部材４１ａに形成された筒部である。
【００２３】
ハンドル本体４２は、後部材４１ａと前部材４１ｂとをビス４３によって固着した後、取付ガイドレール４０にガイド溝６３を合致させるとともに、筒部６４中に位置決用ボス３６を挿入し、そのまま該取付ガイドレール４０に沿ってこのハンドル本体４２を押すことで、コネクタ３８にコネクタ６２を結合させ、このハンドル本体４２を取付部３４に取り付ける。そして、前面下部板９の裏側からビス６５をバカ孔３５に通して後部材４１ａに螺合することにより、このハンドル本体４２、すなわち打球発射ハンドル３２を装飾カバー体８の前記切欠３３に組み付けることができる。
【００２４】
本パチンコ遊技機１にあっては、図８に示すように打球発射ハンドル３２の導電性レバー部４８ｂ、すなわち通電部がタッチ検出回路Ｋに接続され、このタッチ検出回路ＫがタッチスイッチＴに接続されている。また、打球発射装置１６に装着される槌腕１６ａを往復回動させ打球を発射させるため発射用電気的駆動源としての発射用ロータリーソレノイドＲがマイクロスイッチ４４に接続され、更にこのマイクロスイッチ４４が前記タッチスイッチＴに接続されている。このように、タッチスイッチＴとマイクロスイッチ４４は発射用ロータリーソレノイドＲに対し直列に接続されている。そして、タッチスイッチＴは電源Ｄに接続され、前記タッチスイッチＴとマイクロスイッチ４４が同時にＯＮすることにより発射用ロータリーソレノイドＲが駆動するようになっている。
【００２５】
打球発射ハンドル３２は上記構成からなり、遊技者がパチンコ遊技機１に付いて遊技してないときは、操作レバー４８がコイルばね５５の付勢により初期位置で停止している。この際、操作レバー４８の内、ほとんど非導電性レバー部４８ａが外部に露出している。よって、例えばこの状態で操作レバー４８の非導電性レバー部４８ａに触るだけでは発射用ロータリーソレノイドＲが駆動せず、打球が発射されることはない。そして、遊技者がパチンコ遊技機１に付き、打球供給皿６にパチンコ球を供給して打球発射ハンドル３２を握り操作レバー４８を図７鎖線に示すようにコイルばね５５に抗して回動させると、作用片６０がリンク５６から離れるので、その一端部５８により押えられていた触片４４ａが開放され、マイクロスイッチ４４がＯＮする。同時に、通電部である導電性レバー部４８ｂが外部に多く露出する。そこで、操作レバー４８を所望の位置に停止固定させると共に親指をその導電性レバー部４８ｂに接触させることにより、タッチスイッチＴがＯＮして発射用ロータリーソレノイドＲが駆動し、打球が発射される。
【００２６】
また、その途中で、単発打ちをしようとするときは、導電性レバー部４８ｂに接触していた親指を一旦離し、タイミングを見て接離を繰り返す。このように操作レバー４８の表面に通電部である導電性レバー部４８ｂがあるので、操作レバー４８を回動させても通電部との距離は変わらず常に一定となり、しかも導電性レバー部４８ｂは握った指が簡単に接離できる部位に位置することから、指の移動が簡単にでき単発打ちが容易にできることとなる。よって、誤って操作レバー４８の固定位置を狂わせてしまうことがない。
【００２７】
なお、本発明に係る打球発射ハンドルは、回動する操作レバーについて説明したが、直線的に往復動する操作レバーであっても適用できる。
【００２８】
【発明の効果】
このように本発明に係る打球発射ハンドルによれば、ハンドル本体を非導電性とし、操作レバーは上下に二分割され外部に露出する上部の非導電性レバー部と通電部としての下部の導電性レバー部とからなり、該導電性レバー部の端部は前記非導電性レバー部の一端部に設けられた指掛部の近傍にまで達している構成からなるので、指の移動が簡単にでき単発打ちが容易にできることとなる。よって、誤って操作レバーの固定位置を狂わせてしまうことがなく、遊技者は煩わしさも感ずることなく快適に遊技に熱中することができ、また、破損も少なくパチンコホールにとって余分な損失も抑えることができる。更に、操作レバーを所望の位置に回動させてから打球を発射させることができるため、所望の位置まで回動する途中で不本意に打球を発射してしまうことも解消できる。
【００２９】
また、前記操作レバーを分割して非導電性レバー部と交換可能な導電性レバー部とを設け、前記導電性レバー部を通電部とすれば、メッキ部分が少なくて済み安価に製作できるばかりか、メッキ不良などで交換する場合も少ない部材で済み経済的である。
【図面の簡単な説明】
【図１】  本発明が適用されるパチンコ遊技機の正面図。
【図２】  同ガラス板保持枠と前面板及び前面下部板を開いた状態の斜視図。
【図３】  装飾カバー体の斜視図。
【図４】  打球発射ハンドルを取り外した状態の装飾カバーの斜視図。
【図５】  打球発射ハンドルの分解斜視図。
【図６】  装飾カバー体に取付けられた打球発射ハンドル部分の平面断面図。
【図７】  同正面断面図。
【図８】  打球発射ハンドルのブロック図。
【符号の説明】
１                パチンコ遊技機
３２              打球発射ハンドル
４２              ハンドル本体
４８              操作レバー
４８ａ            非導電性レバー部
４８ｂ            通電部（導電性レバー部）
５０              ビス挿通孔
５０ａ            取付片
５１              ビス孔
５２              ビス
５３              指掛部
Ｒ                発射用ロータリーソレノイド
Ｔ                タッチスイッチ
【図１】
0003754341.tif 000002
【図２】
0003754341.tif 000003
【図３】
0003754341.tif 000004
【図４】
0003754341.tif 000005
【図５】
0003754341.tif 000006
【図６】
0003754341.tif 000007
【図７】
0003754341.tif 000008
【図８】
0003754341.tif 000009